(57)【要約】【課題】航空機の表面に熱を適用するシステムを提供する。【解決手段】いくつかの実施形態において、加熱器は、航空機の複合材構造の中に埋め込まれる。１つの実施形態において、複合材航空機構造は、複数の樹脂含浸プライを備えるベースと、当該ベースに隣接する加熱層とを備え、ここにおいて当該加熱層は少なくとも１つの加熱器を備え、複合材航空機構造はさらに、当該加熱層に隣接する接着層と、当該加熱層に隣接する避雷層と、当該避雷層に隣接する外面層とを備える。他の実施形態も説明される。【選択図】なし
2014531361.tif 000002
【特許請求の範囲】
【請求項１】
複数の樹脂含浸プライを備えるベース（２１０）と、
前記ベース（２１０）に隣接する加熱層（２３０）とを備え、
前記加熱層（２３０）は、少なくとも１つの加熱器（２３０、３４２ａ〜３４２ｊ）を備える
複合材航空機構造（２００）。
【請求項２】
前記加熱層（２３０）に隣接する接着層（２４０）と、
前記加熱層（２３０）に隣接する避雷層（２５０）と、
前記避雷層（２５０）に隣接する外面層（２６０）とをさらに備える
請求項１に記載の複合材航空機構造（２００）。
【請求項３】
前記ベース（２１０）は、複数の異なる方向に配置される複数の複合材のプライを備える
請求項１又は２に記載の複合材航空機構造（２００）。
【請求項４】
前記加熱層（２３０）は、複数の別々に制御可能な加熱要素を備える
請求項１から３のいずれか一項に記載の複合材航空機構造（２００）。
【請求項５】
前記加熱層（２３０）に結合される制御回路をさらに備える
請求項１から４のいずれか一項に記載の複合材航空機構造（２００）。
【請求項６】
前記制御回路は、
電源からの電力を受信する電源入力パネル（３１０）と、
前記電源入力パネル（３１０）に結合され、前記少なくとも１つの加熱器（２３０、３４２ａ〜３４２ｊ）に対する好適な熱の設定を表す少なくとも１つの熱設定信号を発生する制御パネル（３２０）と、
前記制御パネル（３２０）から前記少なくとも１つの熱設定信号を受信し、前記少なくとも１つの加熱器（２３０、３４２ａ〜３４２ｊ）から温度信号を受信し、前記少なくとも１つの熱設定信号及び前記温度信号の間の差異を表す出力信号を発生するレギュレータ・モジュール（３３０）とを備える
請求項１から５のいずれか一項に記載の複合材航空機構造（２００）。
【請求項７】
前記出力信号は、前記少なくとも１つの加熱器（２３０、３４２ａ〜３４２ｊ）にフィードバックされて、前記加熱器（２３０、３４２ａ〜３４２ｊ）を通る電流を規制する
請求項６に記載の複合材航空機構造（２００）。
【請求項８】
複合材航空機構造（２００）に熱を適用する方法であって、
電源入力パネル（３１０）において、電源からの電力を受信すること（４１０）と、
前記電源入力パネル（３１０）に結合される制御パネル（３２０）において、前記航空機構造（２００）の中に埋め込まれる少なくとも１つの加熱器（２３０、３４２ａ〜３４２ｊ）に対する好適な温度の設定を表す少なくとも１つの温度設定信号を発生すること（４２０）と、
レギュレータ・モジュールにおいて、前記制御パネル（３２０）から前記少なくとも１つの温度設定信号を受信し、前記少なくとも１つの加熱器（２３０、３４２ａ〜３４２ｊ）から温度信号を受信すること（４３０）と、
前記レギュレータ・モジュールにおいて、前記少なくとも１つの温度設定信号及び前記温度信号の間の差異を表す出力信号を発生すること（４３５）と、
前記少なくとも１つの加熱器（２３０、３４２ａ〜３４２ｊ）を通る電流を規制するために、前記航空機構造（２００）に埋め込まれる前記少なくとも１つの加熱器（２３０、３４２ａ〜３４２ｊ）へ、前記出力信号を誘導すること（４４５）とを含む
方法。
【請求項９】
前記電源入力パネル（３１０）において、前記電源からの電力を前記受信すること（４１０）は、
前記前記電源入力パネル（３１０）に結合される遠隔電源からの電力を受信することを含む
請求項８に記載の方法。
【請求項１０】
請求項１から７のいずれか一項に記載の複合材航空機構造（２００）を備える、航空機。
【発明の詳細な説明】
【背景技術】
【０００１】
航空機は、飛行表面（例えば、翼、スタビライザー、及び操縦翼面）及び飛行における方向制御のための可動操縦翼面を含む。そのような操縦翼面は、回転制御のためのエルロン、ピッチ制御のためのエレベータ、及び方位制御のためのラダーを含み得る。 
【発明の概要】
【発明が解決しようとする課題】
【０００２】
冬の状態において、飛行表面及び操縦翼面は、特に地上での待ち時間において、氷に覆われる可能性がある。現在の航空機の除氷技術は、飛行表面及び操縦翼面から氷を除去するために航空機に加熱したグリコール系の溶液を噴霧すること、及び／又は航空機を赤外線（ＩＲ）放射加熱器に晒すことを含む。そのような除氷技術は、高価で、時間がかかり、空港効率における遅延の原因となる。したがって、航空機の表面を除氷するための付加的な技術があれば便利である。
【課題を解決するための手段】
【０００３】
本開示にしたがったシステム及び方法の実施形態は、航空機構造に熱を適用するための改良されたシステム及び方法を提供する。より具体的には、本明細書中で説明される実施形態は、統合された加熱要素を組み込む航空機構造の構築、及び加熱要素を使用して構造に熱を適用する方法を提供する。
【０００４】
１つの実施形態において、複合材航空機構造は、複数の樹脂含浸プライから成るベースと、当該ベースに隣接する加熱層とを備え、ここにおいて当該加熱層は少なくとも１つの加熱器を備え、さらに複合材航空機構造は、当該加熱層に隣接する接着層と、当該加熱層に隣接する避雷層と、当該避雷層に隣接する外面層とを備える。
【０００５】
別の実施形態において、航空機は、胴体及び少なくとも１つの複合材航空機構造を備え、当該少なくとも１つの複合材航空機構造は、複数の樹脂含浸プライから成るベースと、当該ベースに隣接する加熱層とを備え、ここにおいて当該加熱層は少なくとも１つの加熱器を備え、さらに少なくとも１つの複合材航空機構造は、当該加熱層に隣接する接着層と、当該加熱層に隣接する避雷層と、当該避雷層に隣接する外面層とを備える。避雷層は、加熱層に組み合わされ得る。航空機は、複数の異なる方向に配置される複数の複合材のプライを、さらに備える。航空機は、複数の別々に制御可能なシールされた加熱要素を備える加熱層を、さらにまた備える。航空機は、加熱層に結合される制御回路を備え、当該制御回路は、電源からの電力を受信する電源入力パネルと、電源入力パネルに結合され、少なくとも１つの加熱器に対する好適な熱の設定を表す少なくとも１つの熱設定信号を発生する制御パネルと、制御パネルから少なくとも１つの熱設定信号を受信し、少なくとも一つの加熱器から温度信号を受信し、少なくとも１つの熱設定信号及び温度信号の間の差異を表す出力信号を発生する、レギュレータ・モジュールとを備える。前記出力信号は、加熱器を通る電流を規制するために、少なくとも１つの加熱器にフィードバックされる。
【０００６】
また別の実施形態において、航空機構造に熱を適用する方法は、電源入力パネルにおいて、電源からの電力を受信することと、電源入力パネルに結合される制御パネルにおいて、航空機構造の中に埋め込まれる少なくとも１つの加熱器に対する好適な熱の設定を表す少なくとも１つの熱設定信号を発生することと、レギュレータ・モジュールにおいて、制御パネルから少なくとも１つの熱設定信号を受信し、少なくとも１つの加熱器から温度信号を受信することと、レギュレータ・モジュールにおいて、少なくとも１つの熱設定信号及び温度信号の間の差異を表す出力信号を発生することと、加熱器を通る電流を規制するために、航空機構造の中に埋め込まれる少なくとも一つの加熱器へ出力信号を誘導することとを含む。
【０００７】
さらに、本開示は、下記の条項にしたがう実施形態を含む。
【０００８】
条項１
複数の樹脂含浸プライを備えるベースと、前記ベースに隣接する加熱層とを備え、前記加熱層は少なくとも１つの加熱器を備える、複合材航空機構造。
【０００９】
条項２
前記加熱層に隣接する避雷層と、前記避雷層に隣接する外面層とをさらに備える、条項１に記載の複合材航空機構造。
【００１０】
条項３
前記ベースは、複数の異なる方向に配置される複数の複合材のプライを備える、条項１に記載の複合材航空機構造。
【００１１】
条項４
前記加熱層は、別々に制御可能な複数の加熱要素を備える、条項１に記載の複合材航空機構造。
【００１２】
条項５
前記加熱層に結合される制御回路をさらに備える、条項４に記載の複合材航空機構造。
【００１３】
条項６
前記制御回路は、電源からの電力を受信する電源入力パネルと、前記電源入力パネルに結合され、少なくとも１つの加熱器に対する好適な熱の設定を表す少なくとも１つの熱設定信号を発生する制御パネルと、前記制御パネルから前記少なくとも１つの熱設定信号を受信し、前記少なくとも１つの加熱器から温度信号を受信し、前記少なくとも１つの熱設定信号及び前記温度信号の間の差異を表す出力信号を発生するレギュレータ・モジュールとを備える、条項５に記載の複合材航空機構造。
【００１４】
条項７
前記出力信号は、前記加熱器を通る電流を規制するために、前記少なくとも１つの加熱器にフィードバックされる、条項６に記載の複合材航空機構造。
【００１５】
条項８
複合材航空機構造に熱を適用する方法であって、電源入力パネルにおいて、電源からの電力を受信することと、前記電源入力パネルに結合される制御パネルにおいて、前記航空機構造の中に埋め込まれる少なくとも１つの加熱器に対する好適な温度の設定を表す少なくとも１つの温度設定信号を発生することと、レギュレータ・モジュールにおいて、前記制御パネルから前記少なくとも１つの温度設定信号を受信し、前記少なくとも１つの加熱器から温度信号を受信することと、前記レギュレータ・モジュールにおいて、前記少なくとも１つの温度設定信号及び前記温度信号の間の差異を表す出力信号を発生することと、前記加熱器を通る電流を規制するために、前記航空機構造の中に埋め込まれる前記少なくとも１つの加熱器へ前記出力信号を誘導することとを含む、方法。
【００１６】
条項９
前記電源入力パネルにおいて前記電源からの電力を受信することは、前記電源入力パネルに結合される遠隔電源からの電力を受信することを含む、条項８に記載の方法。
【００１７】
条項１０
前記電源入力パネルに結合される前記制御パネルにおいて前記少なくとも１つの温度設定信号を発生することは、前記制御パネルの上の入力装置からの入力を受信することを含む、条項８に記載の方法。 
【００１８】
条項１１
前記制御パネルの上に、前記少なくとも１つの加熱器の近傍の温度測定器を設置することをさらに含む、条項８に記載の方法。
【００１９】
条項１２
少なくとも１つの前記複合材航空機構造は、複数の樹脂含浸プライを備えるベースと、前記ベースに隣接する加熱層とを備え、前記加熱層は少なくとも１つの加熱器を備える、条項８に記載の方法。
【００２０】
条項１３
前記少なくとも１つの複合材航空機構造は、前記加熱層に隣接する接着層と、前記加熱層に隣接する避雷層と、前記避雷層に隣接する外面層とをさらに備える、条項１２に記載の方法。
【００２１】
条項１４
条項１に記載の複合材航空機構造を備える、航空機。
【００２２】
さらなる領域への適用性は、本明細書中で提供される説明から明らかになるだろう。説明及び具体的な実施例は、解説する目的のためだけに企図され、本発明又はその技術の適用の範囲を限定するものではない、ということが理解されるべきである。
【００２３】
本開示の教示にしたがった方法及びシステムの実施形態は、次に示す図面を参照しながら、以下に詳細に説明される。
【図面の簡単な説明】
【００２４】
【図１】図１は、実施形態にしたがった統合された表面の熱管理システムを有する航空機の概略的な斜視図である。
【図２】図２は、実施形態にしたがって、加熱層を含むように適合された航空機構造の断面図である。
【図３】図３は、実施形態にしたがって、統合された表面の熱管理システムを伴って使用され得る制御回路の概略図である。
【図４】図４は、実施形態にしたがって、航空機構造を加熱する方法の高レベルの動作を示すフローチャートである。
【発明を実施するための形態】
【００２５】
航空機構造における熱管理のためのシステム及び方法が、本明細書中で説明される。特定の実施形態の具体的な詳細が、以下の説明及び図１から３の中で明らかにされ、そのような実施形態の完全な理解を提供する。しかしながら、以下の説明において明らかにされるいくつかの詳細記述なしに、代替的な実施形態が実施され得るということを、当業者は理解するだろう。
【００２６】
図１は、本発明の実施形態にしたがって構成される、１以上の操縦翼面、揚力面、及び作動面１０２を有する、航空機１００の部分的に概略的な上面図である。本実施形態の１つの態様において、航空機１００は、胴体１０４、並びに当該胴体に固定的に装着される主翼１０６（第１及び第２の翼１０６ａ及び１０６ｂとして示される）及び水平尾翼１１４（第１及び第２の翼１１４ａ及び１１４ｂとして示される）を含む。翼１０６の各々は、飛行中に航空機１００を制御する多数の可動操縦翼面を含むことができる。これらの操縦翼面は、集団的に参照番号１０８として言及されるフラッペロン１０８ａ、１０８ｂ、集団的に１１０として言及されるエレベータ１１０ａ、１１０ｂ、及び集団的に１１２として言及されるエルロン１１２ａ、１１２ｂを含む。動作に際して、飛行制御作動システムは、線形的なアクチュエータを伸ばしたり引っ込めたりして、それによりエレベータを上げたり下げたりすることができ、そのような動作は航空機が機首を上下に振る原因となる。同様に、エルロン、ラダー、フラッペロン、及びスポイラーは、航空機に好適な効果を与えるために作動される。 
【００２７】
本明細書中で説明される実施形態にしたがって、翼１０６、水平尾翼１１４、胴体１０４、又は他の航空機構造のいくつかの部分は、複合材の構築により形成され、翼１０６又は水平尾翼１１４の複合材の構造の中へ統合される加熱要素を含み、図１の中の陰影として描かれている加熱領域を画定する。 
【００２８】
図２は、実施形態にしたがって、加熱層を含むように適合された航空機構造２００の断面図である。いくつかの実施形態において、構造２００は、翼１０６又は水平尾翼１１４のうちの１つのような航空機の翼である。他の実施形態において、航空機構造は、胴体１０４などのような胴体である。図２を参照すると、いくつかの実施形態において、構造２００は、複数の樹脂含浸プライから形成されるベース・セクション２１０を備える。図２において描かれる実施形態において、ベースは、異なる方向に配置される複合材の樹脂のプライの６つの層を含み、繊維が基準軸に関して０度（０°）の方向へ並べられる第１の層２１２、繊維が基準軸に関して４５度（４５°）の方向へ並べられる第２の層２１４、繊維が基準軸に関して０度（０°）の方向へ並べられる第３の層２１６、繊維が基準軸に関してマイナス４５度（−４５°）の方向へ並べられる第４の層２１８、繊維が基準軸に関して９０度（９０°）の方向へ並べられる第５の層２２０、及び繊維が基準軸に関して４５度（４５°）の方向へ並べられる第６の層２２２を含む。当業者は、図２において描かれるベースが単に例示的なものであり、他のプライの材料及び方向が使用され得ることを理解するだろう。 
【００２９】
様々な代替的実施形態が着想される可能性があり、ベース・セクション２１０は図２に示される特定の実施形態に限定されない、ということは認識されるだろう。例えば、代替的な実施形態において、ベース・セクション２１０は、図２に示されるものよりも、より多くの又はより少ない数の複合材の層を有し得る。例えば、図２に示されるベース・セクション２１０が交互に方向付けられる全体で６つの複合材の層を含む一方で、代替的な実施形態において、付加的な複合材の層が非対称に又は対称に加えられ、その結果としてベース・セクション２１０は、対称的な又は非対称的なセクションになり得る。さらに、複合材の要素の層の中の強化繊維は、任意の好適なやり方で方向付けられ、上述される及び図２に示される特定の角度値及び材料に限定されない。
【００３０】
加熱層２３０は、ベース２１０に隣接して並べられる。いくつかの実施形態において、加熱層２３０は、複数の加熱要素を備える。実施例のやり方により、加熱要素は、オメガ（Ｏｍｅｇａ）により製造され流通されている、オメガ（Ｏｍｅｇａ）ＫＨ−４０５／５という抵抗の加熱要素などのような、シート材の中に包まれる加熱器として具現化される。 
【００３１】
１以上の接着剤２４０ａ、２４０ｂの層は、加熱器２３０に隣接して並べられる。いくつかの実施形態において、接着剤は、ＢＭＳ／１６０というナイロン製の接着剤などのようなナイロン製の接着剤として具現化される。
【００３２】
導体箔２５０の層は、接着層２４０又は加熱器２３０に隣接して並べられる。いくつかの実施形態において、導体箔２５０は、銅、ブロンズ、又は他の導体箔若しくはメッシュを組み込んだ、導体メッシュ又はプリプレグとして具現化される。導体箔は、加熱要素の動作に関連しないが、しばしば落雷保護のために使用される。落雷保護のための他の技術は、単独で又は導体箔と併せて使用される。避雷箔は、加熱器２３０と組み合わされることもある。全ての層は、任意のレイアップ順序において組み合わされ得る。任意の２以上の層が、組み合わされて単一の層になり得る。任意の層は、全体の構造にわたり使用されない。
【００３３】
プライ材料（例えば、繊維ガラス）２６０の層は、箔２５０、加熱器２３０、又は接着剤２４０に隣接して並べられる。図２に描かれる実施形態において、プライ材料２６０は、基準軸に関して複数の方向に方向付けられる繊維を含む。
【００３４】
図２に描かれる実施形態にしたがった航空機構造は、複合材の製造技術にしたがって構築される。概して、それぞれの層、又はプライは、構造、例えば、翼セクション、胴体のセクション、又はそれらのようなものの形において形成されるツールに対してレイアップされ、硬化される。 
【００３５】
仕上がった航空機構造の上の加熱器は、熱伝達の作用を管理する制御回路に結合される。図３は、実施形態にしたがって、統合された表面の熱管理システム３００の概略図である。図３を参照すると、いくつかの実施形態において、システム３００は、電源入力パネル３１０、制御パネル３２０、レギュレータ３３０、及びバス・ネットワーク３４４により結合される複数の加熱器３４２ａ〜３４２ｊを備えるヒーターアレイ３４０を備える。使用に際して、システム３００は、航空機の上に設置され、それにより１以上のヒーターアレイ３４０が、図１に描かれるように航空機の翼の上に並べられ、又は航空機の胴体若しくは操縦翼面のいくつかの部分の上に並べられる。
【００３６】
航空機が地上にいる場合、電源入力パネル３１０は、例えば、携帯型電源ユニット又は航空機のゲートに結合されている地上の電力供給装置などのような、地上の電源から電源入力を受けるように構成されている。対照的に、航空機が飛行中の場合、電源入力パネル３１０は、航空機の発電機から電力を受信する。電源入力パネル３１０は、回路３１２を介して、制御パネル３２０及びレギュレータ３３０に結合されている。 
【００３７】
制御パネル３２０は、操縦室又はその他の場所に実装されており、回路３１２を通る電流を流したり止めたりするために、回路３１２を選択的に開いたり閉じたりするスイッチ３２２を備えている。制御パネル３２０は、システム３００のユーザからの入力に基づいて、熱設定信号を発生する入力装置３２４をさらに備える。図３に描かれる実施形態において、入力装置は、軸に沿ってスライド可能なピンとして具現化される。しかしながら、例えば、ボタン、タッチスクリーンなどの他の入力装置が使用され得る。具体的な入力装置の仕様は、重要ではない。制御パネル３２０は、制御装置３２８、及び加熱器３４２の状態の表示を提供する表示パネル３２６をさらに備える。制御パネル３２０は、制御パネル３２０と加熱器３４２ａ〜３４２ｊとの間で制御信号を運ぶライン３２８を介して、１以上のヒーターアレイ３４０に結合されている。 
【００３８】
スイッチ３２２が閉じられる場合、電源からの電力は、回路３１２を通ってレギュレータ３３０へ流れる。レギュレータ３３０は、１以上の温度に敏感なブレーカー３３２、３３４を含む。通常動作の状況において、ブレーカー３３２、３３４は、電力をヒーターアレイ３４０に供給するために、閉じられたままである。しかしながら、加熱器３４２の近傍の温度が閾値を超える場合、その後、１以上のブレーカーは、回路を切ってヒーターアレイ３４０への電力の流れを止める。レギュレータ３３０からの電力は、１以上のヒーターアレイ３４０へ誘導され、バス・ネットワーク３４４により個々の加熱器３４２ａ〜３４２ｊへ誘導される。 
【００３９】
動作に際して、システム３００は、航空機構造を加熱する工程を実施する。図４は、実施形態にしたがって、航空機構造を加熱する方法の高レベルの動作を示すフローチャートである。図４を参照すると、動作４１０において、電源入力パネル３１０は電源から電力を受信する。上述のように、電源は外部のものであるか又は内部のものであり得る。スイッチ３２２が閉じられる場合、電源からの電力は制御パネル３２０へ流れる（動作４１５）。電源パネル３１０、制御パネル３２０、及びレギュレータ３３０の機能のいくつか又は全ては、単一の又は複数のユニットシステムにおいて組み合わされ得る。
【００４０】
動作４２０において、制御パネルは、１以上の温度設定信号を発生する。いくつかの実施形態において、システム３００のユーザは、入力装置３２４を使用して温度設定信号を発生するように、制御パネルを誘導する。いくつかの実施形態において、単一の入力装置２３４は、全体のシステム３００に適用可能な単一の温度設定信号を発生する。他の実施形態において、入力装置は、個々の加熱器３４２に対して別々の信号を発生する。
【００４１】
加熱器３４２は、サーミスタ、熱電対、又は加熱器の近傍の温度に比例する電圧を出力する他の装置を含み得る。いくつかの実施形態において、各々の加熱器３４２ａ〜３４２ｊは、ライン３２８のうちの１つの上の制御パネルに送信される独立の信号を発生する（動作４３０）。代替的な実施形態において、ヒーターアレイ３４０は、単一の温度信号を発生し、又はヒーターアレイ３４０の近傍の温度センサからの複数の温度信号を統合する。
【００４２】
動作４３５において、制御パネルの中の制御装置は、入力装置に反応して発生される温度設定信号と、加熱器３４２からの温度信号との間の差異に比例する１以上の出力信号を発生する。出力信号は、電圧に変換され（動作４４０）、ライン３２８の上に置かれ、それにより電圧がそれぞれの加熱器３４２ａ〜３４２ｊに入力され（動作４４５）、加熱器３４２ａ〜３４２ｊを駆動する。
【００４３】
図４に描かれる動作は、制御装置３２８において遂行可能なロジックとして具現化され、それにより制御装置３２８は、継続的に加熱器３４２ａ〜３４２ｊの温度を測定して規制し、熱を航空機構造に適用する。いくつかの実施形態において、ロジックは、例えば、ソフトウェアなどのコンピュータ可読型メモリの中に保存され、処理装置によって遂行される、論理演算命令として実施される。他の実施形態において、ロジックは、ファームウェア又はハードワイヤード電気回路にさえ減じられる。それ故、本明細書中において説明されるのは、統合された加熱層、及び航空機構造に選択的に熱を適用するために統合された加熱層に結合される制御システム、を備える多層の複合材の構造である。加熱層及び制御システムは、任意の複合材の又は非複合材の、固定的な又は可動的な、飛行中であるか又は地上にある、構造において使用され得る。
【００４４】
本明細書中で言及される「論理演算命令」という用語は、１以上の論理的な動作を実行するための１以上の機械により理解される表現に関する。例えば、論理演算命令は、１以上のデータ・オブジェクトの上の１以上動作を遂行するためのプロセッサ・コンパイラーにより解釈可能な、命令を備えている。しかしながら、これは、機械可読型の命令の単に１つの実施例であり、実施形態はこの事項に限定されない。
【００４５】
本明細書中で言及される「コンピュータ可読型媒体」という用語は、１以上の機械により感知可能な表現を維持することができる媒体に関する。例えば、コンピュータ可読型媒体は、コンピュータ可読型の命令又はデータを保存するための１以上の記憶装置を備える。そのような記憶装置は、例えば、光学的な、磁気的な、又は半導体の記憶媒体などのような、記憶媒体を備える。しかしながら、これは、コンピュータ可読型媒体の単に１つの実施例であり、実施形態はこの事項に限定されない。
【００４６】
本明細書中で言及される「ロジック」という用語は、１以上の論理的な動作を実行するための構造に関する。例えば、ロジックは、１以上の入力信号に基づいて、１以上の出力信号を提供する電気回路を備える。そのような電気回路は、デジタル入力を受信してデジタル出力を提供する有限状態機械、又は１以上のアナログ入力信号に反応して１以上のアナログ出力信号を提供する電気回路を備える。そのような電気回路は、特定用途向け集積回路（ＡＳＩＣ）、又はフィールド・プログラマブル・ゲート・アレイ（ＦＰＧＡ）において提供され得る。ロジックはまた、機械可読型の命令を遂行するために、電気回路を処理することに組み合わされる、メモリの中に保存されるそのような機械可読型の命令を備える。しかしながら、これらは、ロジックを提供する構造の単なる実施例であり、実施形態はこの事項に限定されない。
【００４７】
システム３００の様々な機能的要素が、一般的な目的のプロセッサ又は設定可能な飛行制御電子技術の上で遂行される論理命令として実施される。実施例のやり方により、いくつかの実施形態において、図４に描かれる動作は、制御パネル３２０の制御装置３２８の上で遂行可能な論理命令として実施される。プロセッサの上で遂行される場合、論理命令は、説明される方法を実施する特別な目的の機械として、プロセッサがプログラムされる原因となる。プロセッサは、本明細書中で説明される方法を遂行するために論理命令により構成される場合、説明される方法を実行するための構造の構成要素となる。代替的に、本明細書中で説明される方法は、例えば、フィールド・プログラマブル・ゲート・アレイ（ＦＰＧＡ）、特定用途向け集積回路（ＡＳＩＣ）、又はそれらのようなものに減じられる。
【００４８】
例えば、いくつかの実施形態において、コンピュータプログラム製品は、遂行される場合に、飛行制御電子技術を、システム管理メモリモジュールが目に見える状態であるかどうかを検知し、システム管理メモリモジュールが目に見える状態であるという決定に反応して、１以上のシステム管理メモリ入力／出力動作をシステム管理メモリモジュールへ誘導し、システム管理メモリが目に見えない状態であるという決定に反応して、システム管理メモリキャッシュライトバック動作をシステム管理メモリモジュールへ誘導し、他のシステム管理メモリ入力／出力動作をシステムメモリの中の別の位置へ誘導する、ように構成する、コンピュータ可読型媒体の上に保存される論理命令を備える。
【００４９】
説明及び請求項において、結合される及び接続されるという用語が、それらの派生物と一緒に使用される可能性がある。特定の実施形態において、接続されるは、２以上の要素が直接的に物理的に、又は電気的に互いに接触するということを示すために使用され得る。結合されるは、２以上の要素が直接的に物理的に又は電気的に接触することを意味し得る。しかしながら、結合されるはまた、２以上の要素が直接的に互いに接触しないが、しかしさらにまた、互いに協働し又は相互作用し得ることを意味する。
【００５０】
本明細書中での「１つの実施形態」又は「いくつかの実施形態」という言及は、実施形態に関連して説明されている、特定の機能、構造、又は特性が少なくとも１つの実施において含まれていることを意味する。本明細書中のさまざまな箇所に登場する「１つの実施形態において」という語句は、必ずしも同じ実施形態について言及しているわけではない。以上の議論において、例示的なプロセスの具体的な実施について説明してきたが、しかしながら、代替的な実施、特定の動きは、上述の順序において実行される必要はない、ということが理解されるべきである。代替的な実施形態において、いくつかの動きは、状況に応じて、変更され、異なる順で実行され、又は全体的に除外されることがあり得る。さらに、様々な代替的実施において、説明される動きは、コンピュータ、飛行制御電子技術、プロセッサ、プログラム可能な装置、ファームウェア、又は任意の他の適切な装置によって実施可能であり、説明される動きはまた、１以上のコンピュータ可読型媒体の上に保存される命令、又はさもなければそれらのような装置の中へ保存され若しくはプログラムされる命令、に基づくことが可能である（例えば、コンピュータ可読型の命令をリアルタイムでそれらのような装置へ送信することを含む）。ソフトウェアの文脈において、上述された動きは、１以上のプロセッサにより遂行される場合、挙げられた動作を実行するコンピュータの命令の形を取ることができる。コンピュータ可読型媒体が使用される場合、コンピュータ可読型媒体は、そこに保存されている命令を実施するための装置によりアクセスされ得る、任意の入手可能な媒体であり得る。
【００５１】
様々な実施形態が説明された一方で、当業者は、本開示から逸脱することなく変更又は変形が可能であることを理解するだろう。実施例は、様々な実施形態を例示するものであり、本開示の限定を意図しない。したがって、説明及び請求項は、関連する先行技術を考慮して、必要に応じて、そのような制限のみを伴って自由に解釈されるべきである。
【図１】
2014531361.tif 000003
【図２】
2014531361.tif 000004
【図３】
2014531361.tif 000005
【図４】
2014531361.tif 000006
【国際調査報告】
2014531361.tif 000007
2014531361.tif 000008